(57)【特許請求の範囲】
【請求項１】
床下に立設される束本体と、
束本体に螺着され、床梁の下方から上方に延在する上ボルトと、
上ボルトの束本体寄り中間部に固定され、上ボルトの回転操作による上方への螺動に伴って床梁の下面を支持する受具と、
上ボルトの上端部に取着されて床梁の上面を支持する固定具とを有してなる建物の基礎束であって、
前記上ボルトが相隣る床梁が互いになす間隔内に挿通され、
前記受具が上ボルトに固定される受板と、上ボルトに挿通されて受板の上面と床梁の下面との間に介在し、相隣る床梁の双方に渡るすべり板とからなり、受板がすべり板に摺接する面にエンボス部を設けた建物の基礎束。
【請求項２】
前記束本体がターンバックル胴を有し、ターンバックル胴の上下の両端に上ボルトと下ボルトを螺着し、上ボルトと下ボルトを互いに逆ねじにする請求項１に記載の建物の基礎束。
【請求項３】
前記上ボルトの上端面に工具係止部を備えてなる請求項１又は２に記載の建物の基礎束。
【請求項４】
前記固定具が上ボルトに挿通される固定板と、上ボルトに螺着して固定板をバックアップするナットとからなる請求項１〜３のいずれかに記載の建物の基礎束。
【請求項５】
前記固定板が、ビスにより床梁の上面に固定される請求項４に記載の建物の基礎束。
【請求項６】
前記固定板が、上ボルトのための挿通孔まわりに、相隣る床梁が互いになす前記間隔に係入する係入突部を備えてなる請求項４又は５に記載の建物の基礎束。
【請求項７】
前記係入突部が、固定板に溶接した環状体である請求項６に記載の建物の基礎束。
【請求項８】
前記係入突部が、固定板における上ボルトのための挿通孔まわりで相対する２点を切欠いて折曲げた折曲げ片である請求項６に記載の建物の基礎束。
【請求項９】
前記下ボルトの下端部にスラブ着座具を固定してなる請求項１〜８のいずれかに記載の建物の基礎束。
【請求項１０】
請求項１〜９のいずれかに記載の基礎束を使用した建物の床下構造。
【請求項１１】
請求項１〜９のいずれかに記載の基礎束を使用した建物。
【発明の詳細な説明】
【技術分野】
【０００１】
本発明は建物の基礎束、建物の床下構造及び建物に関する。
【背景技術】
【０００２】
建物の基礎束として、特許文献１に記載の如く、床下に立設される束本体と、束本体の上端部に設けられて建物の床梁の下面を支持する受具とを有するものがある。束本体は、ターンバックル胴を有し、ターンバックル胴の上下の両端に上ボルトと下ボルトを螺着し、上ボルトと下ボルトを互いに逆ねじにし、上ボルトの上端部に上述の受具を設け、下ボルトの下端部にスラブ着座具を固定するように構成される。
【０００３】
施工者は、建物の床下にもぐり、建物の床梁の下面に基礎束の受具をビス、釘等で固定する。ターンバックル胴を回転して束本体の長さを調整することにより、束本体の設置レベルを定める。建物の構築後の床梁のたわみ、振動を防止しようとするものである。
【特許文献１】特開2001-115629
【発明の開示】
【発明が解決しようとする課題】
【０００４】
特許文献１の基礎束は、設置時に施工者が床下にもぐる必要があり、施工作業性が悪く、施工コストも高い。
【０００５】
本発明の課題は、床下に立設して床梁を支持する基礎束を床上から設置可能にすることにある。
【課題を解決するための手段】
【０００６】
請求項１の発明は、床下に立設される束本体と、束本体に螺着され、床梁の下方から上方に延在する上ボルトと、上ボルトの束本体寄り中間部に固定され、上ボルトの回転操作による上方への螺動に伴って床梁の下面を支持する受具と、上ボルトの上端部に取着されて床梁の上面を支持する固定具とを有してなる建物の基礎束であって、前記上ボルトが相隣る床梁が互いになす間隔内に挿通され、前記受具が上ボルトに固定される受板と、上ボルトに挿通されて受板の上面と床梁の下面との間に介在し、相隣る床梁の双方に渡るすべり板とからなり、受板がすべり板に摺接する面にエンボス部を設けたものである。
【０００７】
請求項２の発明は、請求項１の発明において更に、前記束本体がターンバックル胴を有し、ターンバックル胴の上下の両端に上ボルトと下ボルトを螺着し、上ボルトと下ボルトを互いに逆ねじにするようにしたものである。
【０００８】
請求項３の発明は、請求項１又は２の発明において更に、前記上ボルトの上端面に工具係止部を備えてなるようにしたものである。
【０００９】
請求項４の発明は、請求項１〜３のいずれかの発明において更に、前記固定具が上ボルトに挿通される固定板と、上ボルトに螺着して固定板をバックアップするナットとからなるようにしたものである。
【００１０】
請求項５の発明は、請求項４の発明において更に、前記固定板が、ビスにより床梁の上面に固定されるようにしたものである。
【００１１】
請求項６の発明は、請求項４又は５の発明において更に、前記固定板が、上ボルトのための挿通孔まわりに、相隣る床梁が互いになす前記間隔に係入する係入突部を備えてなるようにしたものである。
【００１２】
請求項７の発明は、請求項６の発明において更に、前記係入突部が、固定板に溶接した環状体であるようにしたものである。
【００１３】
請求項８の発明は、請求項６の発明において更に、前記係入突部が、固定板における上ボルトのための挿通孔まわりで相対する２点を切欠いて折曲げた折曲げ片であるようにしたものである。
【００１４】
請求項９の発明は、請求項１〜８のいずれかの発明において更に、前記下ボルトの下端部にスラブ着座具を固定してなるようにしたものである。
【００１５】
請求項１０の発明は、請求項１〜９のいずれかに記載の基礎束を使用した建物の床下構造である。
【００１６】
請求項１１の発明は、請求項１〜９のいずれかに記載の基礎束を使用した建物である。
【発明の効果】
【００１９】
（請求項１）
(a)基礎束が、床下に立設される束本体と、束本体に螺着され、床梁の下方から上方に延在する上ボルトと、上ボルトの束本体寄り中間部に固定され、上ボルトの回転操作による上方への螺動に伴って床梁の下面を支持する受具と、上ボルトの上端部に取着されて床梁の上面を支持する固定具とを有してなるようにした。従って、束本体を立設した後に床梁の下方から上方に延在する上ボルトを床上から回転操作することにより、上ボルトの中間部に固定されている受具を高さ調整するように上動させて床梁の下面に当て、床梁の設置レベルを調整する。その後、上ボルトの上端部に固定具を取着することにより、床梁を受具と固定具で上下から挟持し、床梁を一定の設置レベルに固定的に支持できる。これにより、床下に立設して床梁を支持する基礎束を床上から設置でき、施工作業性を向上し、施工コストを低減できる。
【００２０】
(b)上ボルトが相隣る床梁が互いになす間隔内に挿通されることにより、上ボルトを相隣る床梁に安定的に連結し、床梁を一定の設置レベルに安定的に支持できる。
(c)上ボルトの中間部に固定される受具が上ボルトに固定される受板と、上ボルトに挿通されて受板の上面と床梁の下面との間に介在するすべり板とからなるようにした。従って、床上から上ボルトを回転操作したとき、上ボルトに固定の受板をすべり板に対してすべらせて回転容易にし、受板の高さ調整が容易になる。
(d)上述(c)の受板とすべり板の互いに摺接する面の一方にエンボス部を設けたことにより、受板をすべり板に対して更にすべり易くし、受板の高さ調整が一層容易になる。
【００２２】
（請求項２）
(e)束本体がターンバックル胴を有し、ターンバックル胴の上下の両端に上ボルトと下ボルトを螺着し、上ボルトと下ボルトを互いに逆ねじにするようにした。従って、ユニット建物の構築後の万が一の不同沈下時等に、床下からターンバックル胴を回転して束本体の長さを調整することにより、床梁の設置レベルを修正することもできる。
【００２３】
（請求項３）
(f)上ボルトの上端面に工具係止部を備えることにより、上ボルトを床上から簡易確実に回転操作できる。
【００２４】
（請求項４）
(g)上ボルトに挿通される固定板と、上ボルトに螺着して固定板をバックアップするナットとにより、上ボルトの上端部に取着される固定具を簡易に構成できる。
【００２５】
（請求項５）
(h)上述(g)の固定板が、ビスにより床梁の上面に固定される。従って、上ボルトが相隣る床梁の間隔内でぐらつくことを防止し、ひいては束本体の立設状態を安定強固にできる。
（請求項６〜８）
(i)上述(g)の固定板が、上ボルトのための挿通孔まわりに、相隣る建物ユニットの床梁が互いになす間隔に係入する係入突部を備えることにより、上ボルトが相隣る床梁の間隔内でぐらつくことを防止し、ひいては束本体の立設状態を安定強固にできる。
【００２９】
（請求項９）
(j)下ボルトの下端部にスラブ着座具を固定してなることにより、束本体を床下に安定的に立設できる。
【００３０】
（請求項１０）
(k)建物の床下構造に使用される基礎束において、上述(a)〜(j)を実現できる。
【００３１】
（請求項１１）
(l)建物に使用される基礎束について、上述(a)〜(j)を実現できる。
【発明を実施するための最良の形態】
【００３２】
図１はユニット建物を構成するように据付けられて相隣る建物ユニットを示す平面図、図２は建物ユニットを示す斜視図、図３は建物ユニットの床構造を示す断面図、図４は基礎束を示す正面図、図５は図４の平面図、図６は上ボルトと受板を示す斜視図、図７は基礎束の設置手順を示す施工工程図、図８は基礎束の変形例を示す正面図、図９は参考例１の基礎束を示す正面図、図１０は図９の平面図、図１１は参考例２の基礎束を示す正面図、図１２は図１１の平面図である。
【実施例】
【００３３】
ユニット建物１０は、図１に示す如く、コンクリートスラブ１（図４）の上に鋼製基礎１１等を設置し、複数の建物ユニット２０をそれら鋼製基礎１１の上に据付けて構築される。尚、基礎１１は、鋼製基礎でなく、ＲＣの通常基礎であっても良い。
【００３４】
建物ユニット２０は、柱２１、床大梁２２、天井梁２３を箱形に接続した骨組構造体である。本実施例の建物ユニット２０は、図２、図３に示す如く、４本の角鋼管製柱２１の下端部間に形鋼製床大梁２２を架け渡し、それら柱２１の上端部間に形鋼製天井大梁２３を架け渡して構成される。相対する長辺側の床大梁２２には複数本の床小梁２２Ａが支持され、それら床小梁２２Ａの上には複数本の床根太２２Ｂが支持され、それら床根太２２Ｂの上には床板２２Ｃが貼り設けられる。相対する長辺側の天井大梁２３には複数本の天井根太２３Ａが支持され、それら天井根太２３Ａの下には天井板２３Ｂが貼り設けられる。
【００３５】
ユニット建物１０の構築後の各建物ユニット２０の床大梁２２のたわみ、振動を防止するため、各建物ユニット２０の床大梁２２の中間部は鋼製基礎束３０により支持される。基礎束３０は、コンクリートスラブ１の上に設置され、以下の如くに構成される。
【００３６】
基礎束３０は、図４、図５に示す如く、コンクリートスラブ１の上に立設される束本体３１Ａを有する。束本体３１は、鋼製ターンバックル胴３１Ａを有し、ターンバックル胴３１Ａの上下の両端に上ボルト３２と下ボルト３３を螺着し、上ボルト３２と下ボルト３３を互いに逆ねじにしている。
【００３７】
上ボルト３２は束本体３１たるターンバックル胴３１Ａに螺着され、束本体３１の立設後に据付けられて相隣る建物ユニット２０、２０の床大梁２２が互いになす間隔内に配置される。また、下ボルト３３の下端部には鋼製円板等スラブ着座具３４が溶接又はかしめ等により固定され、スラブ着座具３４はコンクリートビス３４Ａや接着剤等でコンクリートスラブ１に固定される。
【００３８】
基礎束３０は、上ボルト３２のターンバックル胴３１Ａ寄り中間部に固定され、上ボルト３２の回転操作による上方への螺動に伴って床大梁２２の下フランジの下面に当たってこれを支持する受具３５を有する。上ボルト３２の頂部上端面には、六角レンチ等が係止し得る六角切込孔等の工具係止部３２Ａが設けられる。
【００３９】
受具３５は上ボルト３２に溶接又はかしめ等により固定される鋼製円板等の受板３６と、上ボルト３２に相対回転可能に挿通されて受板３６の上面と床大梁２２の下フランジの下面との間に介在する鋼製円板等のすべり板３７とからなる。受板３６とすべり板３７の互いに摺接する面の一方、本実施例では受板３６の上面の周方向複数位置には、図６に示す如く、半球状エンボス部３６Ａが設けられる。
【００４０】
基礎束３０は、上ボルト３２の上端部に取着されて床大梁２２の上フランジの上面に当たってこれを支持する固定具３８を有する。固定具３８は上ボルト３２に挿通される鋼製四角板等の固定板３９と、上ボルト３２に螺着して固定板３９をバックアップするナット４０とからなる。固定板３９はビス３９Ａ等により床大梁２２の上フランジに締結固定される。
【００４１】
以下、基礎束３０の設置手順について説明する（図７）。
(1)束本体３１の下ボルト３３に設けられているスラブ着座具３４をコンクリートスラブ１に固定する（図７（Ａ））。
【００４２】
(2)ユニット建物１０において、相隣る各建物ユニット２０のコーナー部を鋼製基礎１１の上に据付ける。上述(1)の束本体３１に螺着されている上ボルト３２がそれら建物ユニット２０の床大梁２２の中間部が形成する間隔内に配置され、床大梁２２の下方から上方に延在する（図７（Ｂ））。
【００４３】
(3)上ボルト３２の工具係止部３２Ａに六角レンチ等を係止して上ボルト３２を床上から回転操作し、上ボルト３２の中間部に固定されている受具３５を高さ調整するように上動させて床大梁２２の下面に当て、床大梁２２の設置レベルを調整する。受具３５の受板３６がすべり板３７を介して床大梁２２の下面に当たる（図７（Ｃ））。
【００４４】
(4)上ボルト３２の上端部に固定具３８（固定板３９とナット４０）を取着する（図７（Ｄ））。床大梁２２が受具３５と固定具３８で上下から挟持され、床大梁２２を一定の設置レベルに固定的に支持する。
【００４５】
尚、ユニット建物１０の構築後に床大梁２２の設置レベルを調整する必要を生じたときには、床下にもぐる作業者によりターンバックル胴３１Ａを回転して束本体３１（上ボルト３２、下ボルト３３）の長さを調整することにより、床大梁２２の設置レベルを修正できる。
【００４６】
本実施例によれば以下の作用効果を奏する。
(a)基礎束３０が、床下に立設される束本体３１と、束本体３１に螺着され、相隣る建物ユニット２０の床大梁２２が互いになす間隔内に配置される上ボルト３２と、上ボルト３２の束本体３１寄り中間部に固定され、上ボルト３２の回転操作による上方への螺動に伴って床大梁２２の下面を支持する受具３５と、上ボルト３２の上端部に取着されて床大梁２２の上面を支持する固定具３８とを有してなるようにした。従って、束本体３１を立設した後に相隣る建物ユニット２０を据付け、それら建物ユニット２０の間隔内に配置されてそれらの床大梁２２に安定的に連結されることになる上ボルト３２を床上から回転操作することにより、上ボルト３２の中間部に固定されている受具３５を高さ調整するように上動させて床大梁２２の下面に当て、床大梁２２の設置レベルを調整する。その後、上ボルト３２の上端部に固定具３８を取着することにより、床大梁２２を受具３５と固定具３８で上下から挟持し、床大梁２２を一定の設置レベルに安定的かつ固定的に支持できる。これにより、床下に立設して床大梁２２を支持する基礎束３０を床上から設置でき、施工作業性を向上し、施工コストを低減できる。
【００４７】
(b)束本体３１がターンバックル胴３１Ａを有し、ターンバックル胴３１Ａの上下の両端に上ボルト３２と下ボルト３３を螺着し、上ボルト３２と下ボルト３３を互いに逆ねじにするようにした。従って、ユニット建物１０の構築後の万が一の不同沈下時等に、床下からターンバックル胴３１Ａを回転して束本体３１の長さを調整することにより、床大梁２２の設置レベルを修正することもできる。
【００４８】
(c)上ボルト３２の上端面に工具係止部３２Ａを備えることにより、上ボルト３２を床上から簡易確実に回転操作できる。
【００４９】
(d)上ボルト３２に挿通される固定板３９と、上ボルト３２に螺着して固定板３９をバックアップするナット４０とにより、上ボルト３２の上端部に取着される固定具３８を簡易に構成できる。
【００５０】
(e)上ボルト３２の中間部に固定される受具３５が上ボルト３２に固定される受板３６と、上ボルト３２に挿通されて受板３６の上面と床大梁２２の下面との間に介在するすべり板３７とからなるようにした。従って、床上から上ボルト３２を回転操作したとき、上ボルト３２に固定の受板３６をすべり板３７に対してすべらせて回転容易にし、受板３６の高さ調整が容易になる。
【００５１】
(f)上述(e)の受板３６とすべり板３７の互いに摺接する面の一方にエンボス部３６Ａを設けたことにより、受板３６をすべり板３７に対して更にすべり易くし、受板３６の高さ調整が一層容易になる。
【００５２】
(g)下ボルト３３の下端部にスラブ着座具３４を固定してなることにより、束本体３１を床下に安定的に立設できる。
【００５３】
(h)ユニット建物１０の床下構造に使用される基礎束３０について、上述(a)〜(g)を実現できる。
【００５４】
(i)ユニット建物１０に使用される基礎束３０について、上述(a)〜(g)を実現できる。
【００５５】
図８の変形例は、上ボルト３２の上端部に取着される固定具３８の固定板３９が、上ボルト３２のための挿通孔５１まわりに、相隣る建物ユニット２０、２０の床大梁２２が互いになす間隔に係入する係入突部５２を備えるようにしたことにある。係入突部５２は、固定板３９の下面の挿通孔５１まわりに溶接等される環状体により構成できる他、固定板３９の挿通孔５１まわりで相対する２点を切欠いて折曲げた折曲げ片等により構成できる。上ボルト３２に挿通されて相隣る床大梁２２の上面に載置された固定板３９の係入突部５２は、一方の床大梁２２のウエブ外面と、他方の床大梁２２のウエブ外面の双方に相対する。これによれば、上ボルト３２が相隣る床大梁２２、２２の間隔内でぐらつくことを防止し、ひいては束本体３１の立設状態を安定強固にできる。
【００５６】
（参考例１）
図９、図１０の参考例１は、前記実施例におけると同様の基礎束３０により、ユニット建物１０の相隣る床大梁２２に限定されない、一般建物又はユニット建物１０の単独の鉄骨床梁１０１を一定の設置レベルに支持するものである。
【００５７】
基礎束３０は、前記実施例におけると実質的に同様に構成され、束本体３１、上ボルト３２、下ボルト３３、スラブ着座具３４、受具３５、受板３６、すべり板３７、固定具３８、固定板３９、ナット４０を有し、以下の如くに設置される。尚、受具３５、受板３６、すべり板３７、固定板３９は床梁１０１のフランジ巾に適合するサイズに設定される。
【００５８】
(1)束本体３１の下ボルト３３に設けられているスラブ着座具３４をコンクリートスラブ１に固定する。
【００５９】
(2)建物の床梁１０１が設置され、上述(1)の束本体３１に螺着されている上ボルト３２が床梁１０１の上下のフランジのルーズ孔１０２に挿通される。
【００６０】
(3)上ボルト３２の工具係止部３２Ａに六角レンチ等を係止して上ボルト３２を床上から回転操作し、上ボルト３２の中間部に固定されている受具３５を高さ調整するように上動させて床梁１０１の下フランジの下面に当て、床梁１０１の設置レベルを調整する。受具３５の受板３６がすべり板３７を介して床梁１０１の下フランジの下面に当たる。
【００６１】
(4)上ボルト３２の上端部に固定具３８（固定板３９とナット４０）を取着する。床梁１０１が受具３５と固定具３８で上下から挟持され、床梁１０１を一定の設置レベルに固定的に支持する。固定板３９はビス３９Ａ等により床梁１０１の上フランジに締結固定される。
【００６２】
尚、建物の構築後に床梁１０１の設置レベルを調整する必要を生じたときには、床下にもぐる作業者によりターンバックル胴３１Ａを回転して束本体３１（上ボルト３２、下ボルト３３）の長さを調整することにより、床梁１０１の設置レベルを修正できる。
【００６３】
上ボルト３２が床梁１０１のルーズ孔１０２に挿通されることにより、上ボルト３２を床梁１０１に安定的に連結し、床梁１０１を一定の設置レベルに安定的に支持できる。
【００６４】
固定板３９が、上ボルト３２のための挿通孔まわりに、床梁１０１のルーズ孔１０２に係入する係入突部を備えるものとすれば、上ボルト３２が床梁１０１のルーズ孔１０２内でぐらつくことを防止し、ひいては束本体３１の立設状態を安定強固にできる。
【００６５】
（参考例２）
図１１、図１２の参考例２は、前記実施例におけると同様の基礎束３０により、ユニット建物１０の相隣る床大梁２２に限定されない、一般建物の単独の木製土台２０１（ＡＬＣスラブ等でも同じ）を一定の設置レベルに支持するものである。
【００６６】
基礎束３０は、前記実施例におけると実質的に同様に構成され、束本体３１、上ボルト３２、下ボルト３３、スラブ着座具３４、受具３５、受板３６、すべり板３７、固定具３８、固定板３９、ナット４０を有し、以下の如くに設置される。尚、受具３５、受板３６、すべり板３７、固定板３９は木製土台２０１の巾に適合するサイズ設定される。
【００６７】
(1)束本体３１の下ボルト３３に設けられているスラブ着座具３４をコンクリートスラブ１に固定する。
【００６８】
(2)建物の木製土台２０１が設置され、上述(1)の束本体３１に螺着されている上ボルト３２が木製土台２０１のルーズ孔２０２に挿通される。
【００６９】
(3)上ボルト３２の工具係止部３２Ａに六角レンチ等を係止して上ボルト３２を床上から回転操作し、上ボルト３２の中間部に固定されている受具３５を高さ調整するように上動させて木製土台２０１の下面に当て、木製土台２０１の設置レベルを調整する。受具３５の受板３６がすべり板３７を介して木製土台２０１の下面に当たる。
【００７０】
(4)上ボルト３２の上端部に固定具３８（固定板３９とナット４０）を取着する。木製土台２０１が受具３５と固定具３８で上下から挟持され、木製土台２０１を一定の設置レベルに固定的に支持する。
【００７１】
尚、建物の構築後に木製土台２０１の設置レベルを調整する必要を生じたときには、床下にもぐる作業者によりターンバックル胴３１Ａを回転して束本体３１（上ボルト３２、下ボルト３３）の長さを調整することにより、木製土台２０１の設置レベルを修正できる。
【００７２】
上ボルト３２が木製土台２０１のルーズ孔２０２に挿通されることにより、上ボルト３２を木製土台２０１に安定的に連結し、木製土台２０１を一定の設置レベルに安定的に支持できる。
【００７３】
固定板３９が、上ボルト３２のための挿通孔まわりに、木製土台２０１のルーズ孔２０２に係入する係入突部を備えるものとすれば、上ボルト３２が木製土台２０１のルーズ孔２０２内でぐらつくことを防止し、ひいては束本体３１の立設状態を安定強固にできる。
【００７４】
以上、本発明の実施例を図面により記述したが、本発明の具体的な構成はこの実施例に限られるものではなく、本発明の要旨を逸脱しない範囲の設計の変更等があっても本発明に含まれる。
【図面の簡単な説明】
【００７５】
【図１】図１はユニット建物を構成するように据付けられて相隣る建物ユニットを示す平面図である。
【図２】図２は建物ユニットを示す斜視図である。
【図３】図３は建物ユニットの床構造を示す断面図である。
【図４】図４は基礎束を示す正面図である。
【図５】図５は図４の平面図である。
【図６】図６は上ボルトと受板を示す斜視図である。
【図７】図７は基礎束の設置手順を示す施工工程図である。
【図８】図８は基礎束の変形例を示す正面図である。
【図９】図９は参考例１の基礎束を示す正面図である。
【図１０】図１０は図９の平面図である。
【図１１】図１１は参考例２の基礎束を示す正面図である。
【図１２】図１２は図１１の平面図である。
【符号の説明】
【００７６】
１０  ユニット建物
２０  建物ユニット
２２  床大梁
３０  基礎束
３１  束本体
３１Ａ  ターンバックル胴
３２  上ボルト
３２Ａ  工具係止部
３３  下ボルト
３４  スラブ着座具
３５  受具
３６  受板
３６Ａ  エンボス部
３７  すべり板
３８  固定具
３９  固定板
３９Ａ  ビス
４０  ナット
５１  挿通孔
５２  係入突部
【図１】
0004709645.tif 000002
【図２】
0004709645.tif 000003
【図３】
0004709645.tif 000004
【図４】
0004709645.tif 000005
【図５】
0004709645.tif 000006
【図６】
0004709645.tif 000007
【図７】
0004709645.tif 000008
【図８】
0004709645.tif 000009
【図９】
0004709645.tif 000010
【図１０】
0004709645.tif 000011
【図１１】
0004709645.tif 000012
【図１２】
0004709645.tif 000013